(57)【特許請求の範囲】
【請求項１】
足首から膝までを覆う下腿部と、膝から脚の付け根までを覆う大腿部を備えたレッグウェアであって、
前記足首から脚の付け根にかける長さ方向のいずれの位置においても周方向に強パワー編地と弱パワー編地とが配置され、全周長に対する前記強パワー編地の周長の比率が前記足首位置から脚の付け根に向けて減少され、着圧を足首位置から脚の付け根に向けて着圧が減されており、
前記強パワー編地はＪＩＳ  Ｌ  １０１８カットストリップ法による３０％伸長応力が０．５〜０．７Ｎとされ、前記弱パワー編地はＪＩＳ  Ｌ  １０１８カットストリップ法による３０％伸長応力が０．２〜０．４Ｎとされ、
前記下腿部では前記強パワー編地が足首位置から膝位置までの少なくとも小伏在静脈を覆う領域に連続して配置され、前記下腿部の幅方向断面における前記強パワー編地の周長と前記弱パワー編地の周長の比［（前記強パワー編地の周長）：（前記弱パワー編地の周長）］を非着用状態で９：１〜５：５の範囲内とされ、
前記大腿部では前記強パワー編地が膝位置から脚の付け根位置まで連続して配置され、前記大腿部の幅方向断面における前記強パワー編地の周長と前記弱パワー編地の周長の比［（前記強パワー編地の周長）：（前記弱パワー編地の周長）］を非着用状態で５：５〜１：９の範囲内とされていることを特徴とするレッグウェア。
【請求項２】
前記下腿部幅方向断面における前記全周長に対する前記強パワー編地の周長の比率は、前記足首位置から前記下腿部の中間位置までは一定とし前記下腿部の中間位置から前記膝位置に向けて減少させている請求項１に記載のレッグウェア。
【請求項３】
前記強パワー編地をポリウレタン弾性糸とナイロン糸を用いてラッセル編みで編成する一方、前記弱パワー編地については、地糸をポリエステル糸、添え糸をポリウレタン弾性糸として添え糸編みにより天竺編みで編成し、前記強パワー編地と前記弱パワー編地とを縫着により一体化させている請求項1または請求項２に記載のレッグウェア。
【請求項４】
前記大腿部の強パワー編地を前記下腿部の強パワー編地に連続させて前記大腿部の外側面に延在させていると共に、脚の付け根から腰部までを覆うヒップ部を備え、該ヒップ部では前記強パワー編地を前記大腿部の強パワー編地に連続して配置していると共に前記ヒップ部の上端まで延在させている請求項１乃至請求項３のいずれか１項に記載のレッグウェア。
【請求項５】
足首から先端を覆うフット部を備えておらず、運動時に着用されるタイツである請求項１乃至請求項４のいずれか1項に記載のレッグウェア。
【発明の詳細な説明】
【技術分野】
【０００１】
本発明はレッグウェアに関し、詳しくは着用者の体型に関わらず、足首から上方に向けて着圧を段階的に低減できるものである。
【背景技術】
【０００２】
従来、脚の血液循環を良好にするレッグウェアとして、例えば実開平５−２２５０４号公報（特許文献１）には、脚の下方に向かって押圧力（着圧）を強く設計した長距離ランナー用のストッキングが開示されている。該ストッキング１は図７に示すように、腰部を覆うヒップ部２と大腿部および下腿部を覆うレッグ部３とからなり、ヒップ部２とレッグ部３とを一体構造として丸編みしている。また、図８に示すアキレス腱部分のｂ点、下腿部の最も太い部分ｃ点、ｃ点とｂ点の中間に位置するｂ１点、膝から多少足先に位置するこむら骨頂頭部のｄ点、膝の上方１５ｃｍのｆ点および股下１０ｃｍのｇ点の着圧を図８に示す曲線Ａと曲線Ｂの間に設定している。
【０００３】
前記ストッキング１では、足首付近の着圧を最大とし足首から上方に向かって着圧を段階的に弱めていくことで、脚の静脈に停滞する血液を心臓に循環させ筋肉に新鮮な血液を供給できるとされている。一方、着用者（特にスポーツ選手など）の中には、下腿部の筋肉が他の部位より発達したり大腿部の筋肉が他の部位より発達したりして、下腿部と大腿部の太さのバランスが標準と異なる場合がある。しかし、前記のような一体的に編成されたストッキング１では、下腿部と大腿部の太さバランスが異なる場合などに、着圧を足首から上方に向かって段階的に低減できない場合がある。
【先行技術文献】
【特許文献】
【０００４】
【特許文献１】実開平５−２２５０４号公報
【発明の概要】
【発明が解決しようとする課題】
【０００５】
本発明は前記問題に鑑みてなされたものであり、下腿部と大腿部の太さバランスが異なるなど着用者の体型に違いがあっても、レッグウェアの着圧を足首から上方に向けて段階的に低減できることを課題としている。
【課題を解決するための手段】
【０００６】
前記課題を解決するため、本発明は、足首から膝までを覆う下腿部と、膝から脚の付け根までを覆う大腿部を備えたレッグウェアであって、
前記足首から脚の付け根にかける長さ方向のいずれの位置においても周方向に強パワー編地と弱パワー編地とが配置され、全周長に対する前記強パワー編地の周長の比率が前記足首位置から脚の付け根に向けて減少されて着圧を足首位置から脚の付け根に向けて低減されており、
前記強パワー編地はＪＩＳ  Ｌ  １０１８カットストリップ法による３０％伸長応力が０．５〜０．７Ｎとされ、前記弱パワー編地はＪＩＳ  Ｌ  １０１８カットストリップ法による３０％伸長応力が０．２〜０．４Ｎとされ、
前記下腿部では前記強パワー編地が足首位置から膝位置までの少なくとも小伏在静脈を覆う領域に連続して配置され、前記下腿部の幅方向断面における前記強パワー編地の周長と前記弱パワー編地の周長の比［（前記強パワー編地の周長）：（前記弱パワー編地の周長）］を非着用状態で９：１〜５：５の範囲内とされ、
前記大腿部では前記強パワー編地が膝位置から脚の付け根位置まで連続して配置され、前記大腿部の幅方向断面における前記強パワー編地の周長と前記弱パワー編地の周長の比［（前記強パワー編地の周長）：（前記弱パワー編地の周長）］を非着用状態で５：５〜１：９の範囲内とされていることを特徴とするレッグウェアを提供している。
【０００７】
前記のように、本発明ではＪＩＳ  Ｌ  １０１８カットストリップ法による３０％伸長応力が０．５〜０．７Ｎ、好ましくは０．５５〜０．６５Ｎである強パワー編地と、ＪＩＳ  Ｌ  １０１８カットストリップ法による３０％伸長応力が０．２〜０．４Ｎ、好ましくは０．２５〜０．３５Ｎである弱パワー編地とを組み合わせてレッグウェアを形成している。また、下腿部の幅方向断面における前記強パワー編地の周長と前記弱パワー編地の周長の比を非着用状態で９：１〜５：５、好ましくは８：２〜５：５の範囲内とすると共に、大腿部の幅方向断面における前記強パワー編地の周長と前記弱パワー編地の周長の比を非着用状態で５：５〜１：９、好ましくは５：５〜２：８の範囲内とし、全周長に対する強パワー編地の周長の比率を足首位置から膝位置、膝位置から脚の付け根位置に向けて減少させる構成としている。言い換えれば、全周長に対する弱パワー編地の周長の比率を足首位置から膝位置、膝位置から脚の付け根位置に向けて増大させる構成としている。
【０００８】
前記構成によれば、着用者の下腿部の太さと大腿部の太さのバランスが異なっていても足首から脚の付け根に向けて着圧を確実に低減させることが可能となり、着用者の体型による影響を受けにくい段階的な着圧構造を得ることができる。特に下腿部では強パワー編地を少なくとも小伏在静脈を覆う領域に配置しているため静脈還流量を一層増大させることができ、運動等により蓄積される疲労物質の分解速度を早めて疲労を早期に除去、低減することができる。なお、小伏在静脈は下腿部後面側の足首に近い外側縁から始まり膝裏の膝下静脈に合流する静脈であるため、該領域を覆うように前記強パワー編地を下腿部の後面側に配置することが重要である。また、強パワー編地の前記３０％伸長応力や、下腿部および大腿部における強パワー編地と弱パワー編地の周長比を前記範囲内に保つことで着脱のし易さも確保することができる。
【０００９】
なお、前記下腿部幅方向断面における前記全周長に対する前記強パワー編地の周長の比率は、前記足首位置から前記下腿部の中間位置まではほぼ一定とし、前記下腿部の中間位置から前記膝位置に向けて減少させていることが好ましい。
【００１０】
本発明では、前記のように、下腿部の強パワー編地を小伏在静脈が通っている下腿部後面側の足首位置から膝位置まで連続して配置し、大腿部の強パワー編地も膝位置から脚の付け根位置まで連続して配置する構成としている。しかし、下腿部の強パワー編地と大腿部の強パワー編地は必ずしも連続させる必要はなく、大腿部の強パワー編地は、大腿部の前面側、後面側、外側面側、内側面側のいずれに配置してもよい。
【００１１】
その一方で、前記大腿部の強パワー編地を前記下腿部の強パワー編地に連続させて前記大腿部の外側面に延在させていることも好ましい。また、脚の付け根から腰部までを覆うヒップ部を備え、該ヒップ部では前記強パワー編地を前記大腿部の強パワー編地に連続して配置していると共に前記ヒップ部の上端まで延在させていることも好ましい。
【００１２】
前記のように、大腿部の強パワー編地を前記下腿部の強パワー編地に連続させて前記大腿部の外側面に延在させると、脚の付け根位置まで連続させた強パワー編地によって下腿部後面側の筋肉を持ち上げて安定保持できると共に、意匠性も向上する。また、前記のように、脚の付け根から腰部までを覆うヒップ部にも大腿部の強パワー編地に連続させた強パワー編地を配置し、該強パワー編地をヒップ部の上端まで延在させることで、腰部をサポートしレッグウェアのずり下がりも防止できる。
【００１３】
前記強パワー編地および弱パワー編地の編組織や編成に用いられる糸の種類は、前記したＪＩＳ  Ｌ  １０１８カットストリップ法による３０％伸長応力が得られる限り、特に限定されるものではない。しかし、前記強パワー編地をポリウレタン弾性糸とナイロン糸を用いてラッセル編みで編成する一方、前記弱パワー編地については、地糸をポリエステル糸、添え糸をポリウレタン弾性糸として添え糸編みにより天竺編みで編成し、前記強パワー編地と前記弱パワー編地とを縫着により一体化させていることが好ましい。前記ポリウレタン弾性糸とは、ポリウレタンを含む弾性糸であれば特に限定されないが、ポリウレタン糸そのままであるベア糸(裸糸)、ポリウレタン糸からなる芯糸の外周にナイロン糸を一重巻きしたシングルカバリング糸などが好ましく、特にベア糸(裸糸)が好ましい。
【００１４】
所要形状に裁断した前記強パワー編地および弱パワー編地を縫着によって接合、一体化し、縫着位置から編地のパワーを明確に変えることで、体型の違いに影響されない段階的な着圧設定が効果的に行える。
【００１５】
本発明によれば、下腿部と大腿部の太さバランスが着用者によって異なっていても、エアパック式着圧測定機による着圧測定で、足首位置付近で２０〜３５ｈＰａ、下腿部のふくらはぎ最大径位置付近で１５〜２５ｈＰａ、大腿部の膝位置と脚の付け根位置間の大腿囲位置付近で５〜１５ｈＰａ程度の着圧を得ることができる。
【００１６】
本発明のレッグウェアは、足首から先端を覆うフット部を備えず、運動時に着用されるタイツであることが好ましい。しかし、運動用に限定されず日常的に着用されるタイツであってもよい。また、足首から先端までを覆うフット部を備えたタイツであってもよいし、ヒップ部を備えないロングストッキングとしてもよい。
【発明の効果】
【００１７】
前述したように、本発明ではＪＩＳ  Ｌ  １０１８カットストリップ法による３０％伸長応力が０．５〜０．７Ｎである強パワー編地と、前記３０％伸長応力が０．２〜０．４Ｎである弱パワー編地とを組み合わせてレッグウェアを形成している。また、下腿部の幅方向断面における強パワー編地の周長と弱パワー編地の周長の比を非着用状態で９：１〜５：５、大腿部の幅方向断面における強パワー編地の周長と弱パワー編地の周長の比を非着用状態で５：５〜１：９の範囲内とし、全周長に対する強パワー編地の周長の比率を足首位置から膝位置、膝位置から脚の付け根位置に向けて減少させる構成としている。この構成により、着用者の下腿部の太さと大腿部の太さのバランスが異なっていても足首から脚の付け根に向けて着圧を確実に低減させることが可能となり、着用者の体型による影響を受けにくい段階的な着圧構造を得ることができる。特に下腿部では強パワー編地を少なくとも小伏在静脈を覆う領域に配置しているため静脈還流量を一層増大させることができ、運動等により蓄積される疲労物質の分解速度を早めて疲労を早期に除去、低減することができる。また、強パワー編地の前記３０％伸長応力や、下腿部および大腿部における強パワー編地と弱パワー編地の周長比を前記範囲内に保つことで着脱のし易さも確保することができる。
【図面の簡単な説明】
【００１８】
【図１】本実施形態のレッグウェアを示す概略斜視図であり、（Ａ）は前面側から見た図、（Ｂ）は後面側から見た図である。
【図２】（Ａ）、（Ｂ）は本実施形態のレッグウェアを側方側から見た概略斜視図である。
【図３】レッグウェアの各編地を分解した展開図である。
【図４】実施例における着圧の測定ポイントを示す図である。
【図５】実施例における着圧分布を示す図である。
【図６】比較例における着圧分布を示す図である。
【図７】従来例を示す図である。
【図８】従来例を示す図である。
【発明を実施するための形態】
【００１９】
以下、本発明の実施形態を図面を参照して説明する。
図1乃至図３は本発明の実施形態を示す。本実施形態のレッグウェアは、野球や陸上競技等の運動時に着用されるタイツ１０であり、図１および図２に示すように、タイツ１０は足首から膝までを覆う下腿部１２と膝から脚の付け根までを覆う大腿部１３からなるレッグ部１１と、脚の付け根から腰部までを覆うヒップ部１５とから構成している。レッグ部１１の下端には袋編みで形成した裾部１４を設けていると共に、ヒップ部１５の上端には袋編みで形成した履き口部１６を設け、本実施形態のタイツ１０では足首から先端を覆うフット部は設けていない。なお、本実施形態のタイツ１０は男性用としているが、女性用や男女兼用のタイツとすることもできる。
【００２０】
タイツ１０は、ＪＩＳ  Ｌ  １０１８カットストリップ法による３０％伸長応力が０．５〜０．７Ｎ（本実施形態では０．６５Ｎ）の強パワー編地２０と、ＪＩＳ  Ｌ  １０１８カットストリップ法による３０％伸長応力が０．２〜０．４Ｎ（本実施形態では０．３４Ｎ）の弱パワー編地２１とからなる。具体的には、図３に示すように、前記弱パワー編地２１を所要形状に裁断した一対の前身頃弱パワー編地２１ａ、前中央弱パワー編地２１ｂ、一対の後身頃弱パワー編地２１ｃと、所要形状の一対の強パワー編地２０を縫着により一体化させてタイツ１０を形成している。
前身頃弱パワー編地２１ａはレッグ部１１およびヒップ部１５の前面側に配置する部材であり、前中央弱パワー編地２１ｂは一対の前身頃弱パワー編地２１ａ間に配置して局部をカバーする部材である。後身頃弱パワー編地２１ｃはレッグ部１１およびヒップ部１５の後面側に配置する部材であり、強パワー編地２０は前身頃弱パワー編地２１ａと後身頃弱パワー編地２１ｃとに隣接させて配置する部材である。
【００２１】
縫着ライン３０での縫着によって前身頃弱パワー編地２１ａと前中央弱パワー編地２１ｂとが接合され、縫着ライン３１での縫着によって一対の後身頃弱パワー編地２１ｃ同士が接合される。また、縫着ライン３２での縫着によって前身頃弱パワー編地２１ａと強パワー編地２０とが接合され、縫着ライン３３での縫着によって後身頃弱パワー編地２１ｃと強パワー編地２０とが接合される。さらに、縫着ライン３４での縫着によって前身頃弱パワー編地２１ａと後身頃弱パワー編地２１ｃとが接合される。このように各編地を縫着することでタイツ１０を形成することができる。
【００２２】
本実施形態の強パワー編地２０は、下腿部強パワー編地部２０ａ、大腿部強パワー編地部２０ｂおよびヒップ部強パワー編地部２０ｃからなり、下腿部強パワー編地部２０ａ、大腿部強パワー編地部２０ｂ、ヒップ部強パワー編地部２０ｃを連続させて1枚の強パワー編地２０としている。しかし、下腿部強パワー編地部２０ａ、大腿部強パワー編地部２０ｂ、ヒップ部強パワー編地部２０ｃを連続させずに別個の強パワー編地として配置することも可能である。
【００２３】
下腿部１２では、下腿部強パワー編地部２０ａを足首位置から膝位置までの全長に渡って連続的に配置しており、小伏在静脈Ｖを含む下腿部の後面側全体を下腿部強パワー編地部２０ａで覆っている。
非着用状態において、下腿部１２の幅方向断面における下腿部強パワー編地部２０ａの周長Ｓとこれに隣接する弱パワー編地２１（前身頃弱パワー編地２１ａ、後身頃弱パワー編地２１ｃ）の周長Ｔの比Ｓ：Ｔを足首位置でＳ：Ｔ＝８：２、膝位置でＳ：Ｔ（＝Ｔ１＋Ｔ２）＝５：５とし、全周長Ｓ＋Ｔに対する下腿部強パワー編地部２０ａの周長Ｓの比率を足首位置の比率に対して膝位置の比率を減少させている。なお本実施形態では、足首位置からふくらはぎの最大径位置付近までは、全周長Ｓ＋Ｔに対する下腿部強パワー編地部２０ａの周長Ｓの比率を足首位置での前記比率とほぼ同程度とし、ふくらはぎ最大径付近から膝位置に向けて前記比率を減少させている。
【００２４】
また、前記下腿部強パワー編地部２０ａに連続させた大腿部強パワー編地部２０ｂを膝位置から脚の付け根位置まで連続的に配置しており、該大腿部強パワー編地部２０ｂを大腿部１３の外側面に延在させている。
非着用状態において、大腿部１３の幅方向断面における大腿部強パワー編地部２０ｂの周長Ｓと隣接する弱パワー編地２１（前身頃弱パワー編地２１ａ、後身頃弱パワー編地２１ｃ）の周長Ｔの比Ｓ：Ｔを膝位置でＳ：Ｔ（＝Ｔ１＋Ｔ２）＝５：５、脚の付け根位置でＳ：Ｔ（＝Ｔ１＋Ｔ２）＝２：８とし、全周長Ｓ＋Ｔに対する大腿部強パワー編地部２０ｂの周長Ｓの比率を膝位置から足の付け根位置に向けてさらに減少させている。
【００２５】
また、大腿部強パワー編地部２０ｂに連続させたヒップ部強パワー編地部２０ｃをヒップ部１５の上端まで延在させている。腰部サポートおよびタイツのずり下がり防止のため、前記ヒップ部強パワー編地部２０ｃの編地幅を上端に向けて漸増させている。
【００２６】
前記強パワー編地２０は、繊度３１０デシテックスおよび４４デシテックスのポリウレタン弾性糸と繊度３３デシテックスのナイロン糸を用いてラッセル編みで編成した編地としている。
また、弱パワー編地２１は、地糸を繊度８４デシテックスのポリエステル糸、添え糸を繊度３３デシテックスのベアのポリウレタン糸として添え糸編みにより天竺編みで編成した編地としている。
【００２７】
なお、前記ＪＩＳ  Ｌ  １０１８カットストリップ法による３０％伸長応力とは、２．５ｃｍ×２０ｃｍにカットした試験片を引張試験機のつかみ間（つかみ間隔：１０ｃｍ）に固定し、引張速度３０±２ｃｍ／分で前記試験片を３０％まで引き伸ばしたときの伸長応力を意味するものである。
【００２８】
前述したように、本実施形態ではＪＩＳ  Ｌ  １０１８カットストリップ法による３０％伸長応力が０．５〜０．７Ｎである強パワー編地２０と、前記３０％伸長応力が０．２〜０．４Ｎである弱パワー編地２１とを組み合わせてタイツ１０を形成している。また、下腿部１２の幅方向断面における下腿部強パワー編地部２０ａの周長Ｓと隣接する弱パワー編地２１の周長Ｔの比Ｓ：Ｔを非着用状態で８：２〜５：５、大腿部１３の幅方向断面における大腿部強パワー編地部２０ｂの周長Ｓと隣接する弱パワー編地２１の周長Ｔの比Ｓ：Ｔを非着用状態で５：５〜２：８の範囲内とし、全周長Ｓ＋Ｔに対する下腿部、大腿部強パワー編地部２０ａ、２０ｂの周長Ｓの比率を足首位置から膝位置、膝位置から脚の付け根位置に向けて減少させる構成としている。
【００２９】
該構成により、下腿部１２と大腿部１３の太さバランスが着用者によって異なっていても、エアパック式着圧測定機による着圧測定で、足首位置付近で２０〜３５ｈＰａ、下腿部１２のふくらはぎ最大径位置付近で１５〜２５ｈＰａ、大腿部１３の膝位置と脚の付け根位置間の大腿囲位置付近で５〜１５ｈＰａ程度の着圧を得ることができる。このように足首から上方に向けて着圧を確実に低減させることが可能となり、着用者の体型による影響を受けにくい段階的な着圧構造を得ることができる。特に下腿部１２では下腿部強パワー編地部２０ａを少なくとも小伏在静脈Ｖを覆う領域に配置しているため静脈還流量を一層増大させることができ、運動等により蓄積される疲労物質の分解速度を早めて疲労を早期に除去、低減することができる。また、強パワー編地２０の前記３０％伸長応力や、下腿部、大腿部強パワー編地部２０ａ、２０ｂと弱パワー編地２１の周長比を前記範囲内に保つことで着脱のし易さも確保することができる。
【００３０】
［実施例、比較例］
実施例として、前記実施形態で作製したタイツ１０を３人の被験者Ａ〜Ｃに着用してもらい、図４に示す４箇所の測定ポイント４０〜４３の着圧をエアパック式着圧測定機で測定した。測定ポイント４０は足首、測定ポイント４１は下腿部（ふくらはぎ最大径位置）、測定ポイント４２は大腿部（膝位置と脚の付け根位置との間の大腿囲位置）、測定ポイント４３はヒップ（臀部の最も膨らんだ位置）とし、被験者Ａ〜Ｃの大腿部最大囲と下腿部最大囲を表１に示す。被験者Ｂは下腿部と大腿部の太さのバランスが標準（下腿部最大囲／大腿部最大囲＝０．６９）、被験者Ａは大腿部に比べて下腿部が太め（下腿部最大囲／大腿部最大囲＝０．７３）、被験者Ｃは大腿部に比べて下腿部が細め（下腿部最大囲／大腿部最大囲＝０．６７）の体型を有している。表１に被験者Ａ〜Ｃの各測定ポイント４０〜４３の着圧をあわせて示し、横軸を測定ポイント、縦軸を着圧とした着圧分布を図５に示す。
【００３１】
また、比較例として、繊度１３０デシテックスのポリウレタン弾性糸および４４デシテックスのナイロン糸を用いてトリコット編組織で一体的に編成したタイツを前記被験者Ａ〜Ｃに着用してもらい、実施例１と同様の測定ポイント４０〜４３で着圧を測定した。比較例のタイツでは足首位置から脚の付け根位置に向けて周長を漸増させることで足首から上方に向けて着圧を段階的に低減させる構造としている。比較例における被験者Ａ〜Ｃの各測定ポイント４０〜４３の着圧を表２に示し、横軸を測定ポイント、縦軸を着圧とした着圧分布を図６に示す。
【００３２】
【表１】
0005547518.tif 000002
【００３３】
【表２】
0005547518.tif 000003
【００３４】
表１から、実施例ではすべての被験者Ａ〜Ｃについて、足首からヒップに向けて着圧を段階的に低減させることができ、下腿部と大腿部の太さバランスの違いによる影響を受けにくい段階的な着圧構造が得られていることが明らかになった。
一方、一般的な段階着圧配置であることを訴求した比較例のタイツでは被験者Ａについては測定ポイント４１（下腿部）から測定ポイント４２（大腿部）にかけて着圧が低減されているが、その他では足首から脚の付け根に向けての段階的な着圧低減が見られなかった。
【符号の説明】
【００３５】
１０  タイツ
１１  レッグ部
１２  下腿部
１３  大腿部
１４  裾部
１５  ヒップ部
１６  履き口部
２０  強パワー編地
２０ａ  下腿部強パワー編地部
２０ｂ  大腿部強パワー編地部
２０ｃ  ヒップ部強パワー編地部
２１  弱パワー編地
２１ａ  前身頃弱パワー編地
２１ｂ  前中心弱パワー編地
２１ｃ  後身頃弱パワー編地
３０〜３４  縫着ライン
４０〜４３  測定ポイント
【図１】
0005547518.tif 000004
【図２】
0005547518.tif 000005
【図３】
0005547518.tif 000006
【図４】
0005547518.tif 000007
【図５】
0005547518.tif 000008
【図６】
0005547518.tif 000009
【図７】
0005547518.tif 000010
【図８】
0005547518.tif 000011